【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
物体と所定の操作面の近接状態を表す情報を取得する取得手段と、
前記取得手段によって取得された情報によって前記物体が前記操作面に対してタッチ入力中であるとみなされる間の、前記物体の移動スピードに基づいて、前記物体が前記操作面上からリリースされたかを判定するための前記近接状態と判断する条件を設定する設定手段と、
前記取得手段によって取得された情報が前記設定手段によって設定された条件を満たしたことに応じて、前記物体が前記操作面からリリースされたことを判定する判定手段と、を備えることを特徴とする情報処理装置。
【請求項２】
前記設定手段は、前記物体の移動のスピードが、基準スピードより速い場合に設定される条件を、前記物体の移動スピードが前記基準スピードより遅い場合に設定される条件よりも厳しい条件とすることを特徴とする請求項１に記載の情報処理装置。
【請求項３】
前記設定手段は、前記物体の移動スピードが前記基準スピードを越えた後、再び前記基準スピードを下回った場合は、前記条件を緩和することを特徴とする請求項２に記載の情報処理装置。
【請求項４】
前記条件とは、前記近接の程度の大きさの閾値であって、前記設定手段は、前記物体の移動のスピードが前記基準スピードより速い場合に設定される閾値、前記物体の移動のスピードが前記基準スピードより遅い場合に設定される閾値よりも大きく設定することを特徴とする請求項２に記載の情報処理装置。
【請求項５】
前記設定手段は、前記条件の候補として予め記憶された複数の閾値から、前記物体が前記操作面に対してタッチ入力中であるとみなされる間の前記物体の移動スピードに対応づけられた閾値を取得し、前記条件として設定することを特徴とする請求項４に記載の情報処理装置。
【請求項６】
前記取得手段は、前記操作面と前記物体の間の距離を取得し、
前記設定手段は、前記条件として、前記操作面から物体までの距離の閾値を設定し、
前記判定手段は、前記操作面から物体までの距離が、前記設定手段によって設定された閾値を越えた場合に、前記物体が前記操作面からリリースされたと判定することを特徴とする請求項１に記載の情報処理装置。
【請求項７】
前記判定手段はさらに、前記操作面と前記物体の間の距離が所定のタッチ閾値よりも小さい場合に、前記物体によって前記操作面がタッチされた状態であると判定する、前記所定のタッチ閾値は、前記設定手段によって設定される閾値とは独立した値であることを特徴とする請求項６に記載の情報処理装置。
【請求項８】
前記判定手段は、前記操作面から物体までの距離が、前記設定手段によって設定された閾値を越えている状態が、所定の時間より長く継続された場合に、前記物体が前記操作面からリリースされたと判定することを特徴とする請求項６に記載の情報処理装置。
【請求項９】
前記判定手段は、前記操作面と前記物体との間の距離が、前記設定手段によって設定された閾値を越えている状態が、前記物体が前記操作面にタッチしている時間の長さに対応して特定される時間の長さより長く継続された場合に、前記物体が前記操作面からリリースされたと判定することを特徴とする請求項６に記載の情報処理装置。
【請求項１０】
前記取得手段は、前記物体を含む空間を撮像することで得られる赤外画像を使って前記距離を表す情報を取得することを特徴とする請求項６に記載の情報処理装置。
【請求項１１】
前記取得手段は、前記物体を含む空間を撮像することで得られる距離画像を使って前記距離を表す情報を取得することを特徴とする請求項６に記載の情報処理装置。
【請求項１２】
前記判定手段によって前記物体が前記操作面からリリースされたと判定されたことに応じて、１タッチ入力の終了を認識する認識手段をさらに備えることを特徴とする請求項１に記載の情報処理装置。
【請求項１３】
前記１タッチ入力とは、前記物体が前記操作面にタッチしたとみなされる時点からリリースしたとみなされる時点までの前記物体の一続きの位置情報を指すことを特徴とする請求項１２に記載の情報処理装置。
【請求項１４】
物体と所定の操作面の近接状態を表す情報を取得する取得工程と、
前記取得工程によって取得された情報によって前記物体が前記操作面に対してタッチ入力中であるとみなされる間の、前記物体の移動スピードに基づいて、前記物体が前記操作面上からリリースされたかを判定するための前記近接状態と判断する条件を設定する設定工程と、
前記取得工程によって取得された情報が前記設定手段によって設定された条件を満たしたことに応じて、前記物体が前記操作面からリリースされたことを判定する判定工程と、を備えることを特徴とする情報処理方法。
【請求項１５】
物体と所定の操作面の近接状態を表す情報を取得する取得手段と、
前記取得手段によって取得された情報によって前記物体が前記操作面に対してタッチ入力中であるとみなされる間の、前記物体の移動に関する情報に基づいて、前記物体が前記操作面上からリリースされたかを判定するための前記近接状態と判断する条件を設定する設定手段と、
前記取得手段によって取得された情報が前記設定手段によって設定された条件を満たす場合に、前記操作面にタッチしていた前記物体が前記操作面からリリースされたと判定する判定手段と、を備えることを特徴とする情報処理装置。
【請求項１６】
前記移動の状態には、移動の方向を含むことを特徴とする請求項１５に記載の情報処理装置。
【請求項１７】
前記設定手段は、前記移動の方向が直前に移動したときの方向と同じとき、前記条件を緩めることを特徴とする請求項１６に記載の情報処理装置。
【請求項１８】
前記移動の状態には、移動距離の大きさを含むことを特徴とする請求項１５に記載の情報処理装置。
【請求項１９】
物体と所定の操作面の近接状態を表す情報を取得する取得工程と、
前記取得工程によって取得された情報によって前記物体が前記操作面に対してタッチ入力中であるとみなされる間の、前記物体の移動に関する情報に基づいて、前記物体が前記操作面上からリリースされたかを判定するための前記近接状態と判断する条件を設定する設定工程と、
前記取得工程によって取得された情報が前記設定工程によって設定された条件を満たす場合に、前記操作面にタッチしていた前記物体が前記操作面からリリースされたと判定する判定工程と、を備えることを特徴とする情報処理方法。
【請求項２０】
コンピュータを
物体と所定の操作面の近接状態を表す情報を取得する取得手段と、
前記取得手段によって取得された情報によって前記物体が前記操作面に対してタッチ入力中であるとみなされる間の、前記物体の移動スピードに基づいて、前記物体が前記操作面上からリリースされたかを判定するための前記近接状態と判断する条件を設定する設定手段と、
前記取得手段によって取得された情報が前記設定手段によって設定された条件を満たしたことに応じて、前記物体が前記操作面からリリースされたことを判定する判定手段と、
として機能させるためのプログラム。
【請求項２１】
コンピュータを
物体と所定の操作面の近接状態を表す情報を取得する取得手段と、
前記取得手段によって取得された情報によって前記物体が前記操作面に対してタッチ入力中であるとみなされる間の、前記物体の移動に関する情報に基づいて、前記物体が前記操作面上からリリースされたかを判定するための前記近接状態と判断する条件を設定する設定手段と、
前記取得手段によって取得された情報が前記設定手段によって設定された条件を満たす場合に、前記操作面にタッチしていた前記物体が前記操作面からリリースされたと判定する判定手段と、として機能させるためのプログラム。
【手続補正２】
【補正対象書類名】明細書
【補正対象項目名】０００７
【補正方法】変更
【補正の内容】
【０００７】
上記課題を解決するため、本発明に係る情報処理装置は、物体と所定の操作面の近接状態を表す情報を取得する取得手段と、前記取得手段によって取得された情報によって前記物体が前記操作面に対してタッチ入力中であるとみなされる間の、前記物体の移動スピードに基づいて、前記物体が前記操作面上からリリースされたかを判定するための前記近接状態と判断する条件を設定する設定手段と、前記取得手段によって取得された情報が前記設定手段によって設定された条件を満たしたことに応じて、前記物体が前記操作面からリリースされたことを判定する判定手段と、を備える。